(57)【要約】【課題】有機ＥＬディスプレイパネルの輝度調整に時間がかかる、異なるドライバＩＣチップの間で充分な調整精度を確保できない等の問題を解消する。【解決手段】発光駆動部２０は、各々が発光素子Ｅ１，１〜Ｅｎ，２ｍを発光させる発光駆動電流をデータ線Ａ１〜Ａ２ｍに供給する複数の発光駆動電流源を有する複数のデータ線駆動回路（１３，１４）と、複数のデータ線駆動回路（１３，１４）のうちの一つのデータ線駆動回路１３から発生した発光駆動電流ｉ１と他のデータ線駆動回路１４から発生した発光駆動電流ｉ２とに基づいて、他の発光駆動電流ｉ２の調整を行う発光駆動電流調整部１５と、を有する。【選択図】  図５
2004302273.tif 000002
【特許請求の範囲】
【請求項１】
複数の走査線と前記走査線各々の交差して配列された複数のデータ線との各交差部に一画素を担う発光素子が形成されてなるディスプレイパネルと、前記ディスプレイパネルを発光させる発光駆動部と、を有するディスプレイ装置であって、
前記発光駆動部は、
各々が前記発光素子を発光させる発光駆動電流を前記データ線に供給する複数の発光駆動電流源を有する複数のデータ線駆動回路と、
前記複数のデータ線駆動回路のうちの一つのデータ線駆動回路から発生した発光駆動電流と他のデータ線駆動回路から発生した発光駆動電流とに基づいて、前記他の発光駆動電流の調整を行う発光駆動電流調整部と、を有することを特徴とするディスプレイ装置。
【請求項２】
複数の走査線と前記走査線各々の交差して配列された複数のデータ線との各交差部に一画素を担う発光素子が形成されてなるディスプレイパネルと、前記ディスプレイパネルを発光させる発光駆動部と、を有するディスプレイ装置であって、
前記発光駆動部は、
各々が前記発光素子を発光させる発光駆動電流を前記データ線に供給する複数の発光駆動電流源を有する複数のデータ線駆動回路と、
前記複数のデータ線駆動回路のうちの前段のデータ線駆動回路から発生した発光駆動電流と次段のデータ線駆動回路から発生した発光駆動電流とに基づいて、前記次段の発光駆動電流の調整を順次行う発光駆動電流調整部と、を有することを特徴とするディスプレイ装置。
【請求項３】
前記複数のデータ線駆動回路のうち少なくとも一つのデータ線駆動回路は、基準となる発光駆動電流を発生させる機能を有することを特徴とする請求項１または２に記載のディスプレイ装置。
【請求項４】
前記発光駆動電流調整部は、前記複数のデータ線駆動回路のうちの少なくとも２つのデータ線駆動回路から発生した発光駆動電流の差分を検出する差分検出手段を有することを特徴とする請求項１〜請求項３のいずれかに記載のディスプレイ装置。
【請求項５】
前記複数のデータ駆動回路は、それぞれ集積回路の内部に設けられ、
前記発光駆動電流調整部のうち少なくともその一部が、前記集積回路の外部に設けられたことを特徴とする請求項１〜請求項４のいずれかに記載のディスプレイ装置。
【請求項６】
前記複数のデータ線駆動回路は、前記発光駆動電流調整部に電流を供給するための出力端を１つ以上有することを特徴とする請求項１〜請求項５のいずれかに記載のディスプレイ装置。
【請求項７】
前記出力端に供給される電流は、前記発光駆動電流を前記データ線に供給する前記複数の発光駆動電流源とは別に設けられた発光駆動電流源から供給されることを特徴とする請求項６に記載のディスプレイ装置。
【請求項８】
前記出力端に供給される電流は、前記発光駆動電流を前記データ線に供給する前記複数の発光駆動電流源のうちの少なくとも１つの発光駆動電流源から、選択手段を介して選択的に供給されることを特徴とする請求項６に記載のディスプレイ装置。
【請求項９】
複数の走査線と前記走査線各々の交差して配列された複数のデータ線との各交差部に一画素を担う発光素子が形成されてなるディスプレイパネルを発光させる発光駆動部を用いたディスプレイパネルの駆動方法であって、
前記発光駆動部は、各々が前記発光素子を発光させる発光駆動電流を前記データ線に供給する複数の発光駆動電流源を有する複数のデータ線駆動回路を含み、
前記複数のデータ線駆動回路のうちの一つのデータ線駆動回路から発生した発光駆動電流と他のデータ線駆動回路から発生した発光駆動電流とに基づいて、前記他の発光駆動電流の調整を行うことを特徴とするディスプレイパネルの駆動方法。
【請求項１０】
複数の走査線と前記走査線各々の交差して配列された複数のデータ線との各交差部に一画素を担う発光素子が形成されてなるディスプレイパネルを発光させる発光駆動部を用いたディスプレイパネルの駆動方法であって、
前記発光駆動部は、各々が前記発光素子を発光させる発光駆動電流を前記データ線に供給する複数の発光駆動電流源を有する複数のデータ線駆動回路を含み、
前記複数のデータ線駆動回路のうちの前段のデータ線駆動回路から発生した発光駆動電流と次段のデータ線駆動回路から発生した発光駆動電流とに基づいて、前記次段の発光駆動電流の調整を順次行うことを特徴とするディスプレイパネルの駆動方法。
【発明の詳細な説明】
【０００１】
【発明の属する技術分野】
本発明は、ディスプレイ装置およびディスプレイパネルの駆動方法に関する。
【０００２】
【従来の技術】
液晶ディスプレイ装置に代わる低消費電力および高表示品質、並びに薄型化が可能なディスプレイ装置として、有機ＥＬ（エレクトロルミネッセンス）ディスプレイパネルを用いたディスプレイ装置が注目されている。これは有機ＥＬディスプレイパネルに用いられる有機ＥＬ素子の発光層に、良好な発光特性を期待することができる有機化合物を使用することによって、実用に耐えうる高効率化および長寿命化が進んだことが背景にある。
【０００３】
この有機ＥＬ素子の構造は、図１に示すように、透明電極１０１が形成されたガラス板等からなる透明基板１００上に、電子輸送層、発光層、正孔輸送層などからなる少なくとも１層の有機機能層１０２、および金属電極１０３が積層されたものである。そして、有機ＥＬ素子１１０の透明電極１０１にプラス、金属電極１０３にマイナスの電圧を印加し、透明電極１０１と金属電極１０３との間に直流電流を流すことにより、有機機能層１０２が発光する。
また、良好な発光特性を期待することのできる有機化合物を有機機能層１０２に使用することによって、有機ＥＬディスプレイパネルを用いたディスプレイ装置が実用に耐えうるものになっている。
【０００４】
そして、有機ＥＬ素子は、電気的には図２に示すように、容量成分Ｃと、この容量成分Ｃに並列に結合するダイオード特性の成分Ｅと、によって構成される等価回路に置き換えることができる。よって、有機ＥＬ素子は、容量性の発光素子であると考えられる。
有機ＥＬ素子１１０に、直流の発光駆動電圧が電極間に印加されると、電荷が容量成分Ｃに蓄積され、続いてＥＬ素子固有の障壁電圧または発光閾値電圧を越えると、電極（ダイオード成分Ｅの陽極側）から発光層を担う有機機能層１０２に電流が流れ始め、この電流に比例した強度で発光する。
【０００５】
有機ＥＬディスプレイパネルの駆動方法としては、パッシブマトリクス駆動方式が知られている。図３は、パッシブマトリクス駆動方式の駆動装置の一例を示す回路図である（例えば、特許文献１参照）。
図３において、有機ＥＬディスプレイパネル１２０は、ｎ個の陰極線（データ線）Ｂ１〜Ｂｎを横方向に、ｍ個の陽極線（走査線）Ａ１〜Ａｍを縦方向に平行に伸長して設けられ、各々の交差した部分（計ｎ×ｍ個）に有機ＥＬ素子Ｅ１，１〜Ｅｍ，ｎの発光層を挟む。画素を担う有機ＥＬ素子Ｅ１，１〜Ｅｍ，ｎは、格子状に配列され、垂直方向に沿う陽極線Ａ１〜Ａｍと水平方向に沿う陰極線Ｂ１〜Ｂｎとの交差位置に対応して一端（上記の等価回路のダイオード成分Ｅの陽極線側）が陽極線に、他端（図２の等価回路のダイオード成分Ｅの陰極線側）が陰極線に接続される。陰極線は陰極線走査回路（走査回路）１２１に接続されて駆動、陽極線は陽極線ドライブ回路（データ線駆動回路）１２２に接続されてそれぞれ駆動される。
【０００６】
【特許文献１】
特開２００１−１０９４２７号（図１、図２、図４）
【０００７】
【発明が解決しようとする課題】
ところで、近年、有機ＥＬディスプレイパネルの大画面化を実現するにあたり、データ線（陽極線）および走査線（陰極線）の本数を増やして画面の高精細化を行う必要が生じてきた。したがって、データ線駆動回路の回路規模が大規模化し、データ線駆動回路をＩＣ（集積回路）で構成した場合、ＩＣの歩留まりが悪くなる等の問題があるため、図４に示すように、駆動するデータ線を複数に分割してそれぞれＩＣ化されたデータ線駆動回路によって駆動することが考えられる。
【０００８】
しかしながら、図４に示すように、データ線駆動回路として複数のＩＣを用いて構成すると、有機ＥＬディスプレイパネルの画面上に輝度の異なる領域が出来ないように、それぞれのデータ線駆動回路によって輝度調整を行う必要が生ずる。この輝度調整に対し輝度計を使用して調整を行えば調整工程に時間がかってしまう。あるいは、目視による輝度調整では、充分な調整精度を確保できない。
【０００９】
本発明が解決しようとする課題としては、ディスプレイ装置およびディスプレイパネルの駆動方法において、複数のデータ線駆動回路を用いた場合、特に、データ線駆動回路として複数のＩＣを用いて構成する場合に、上述した従来技術において生じている有機ＥＬディスプレイパネルの輝度調整に時間がかかっていたり、充分な調整精度を確保できない問題を解消することが一例として挙げられる。
【００１０】
【課題を解決するための手段】
請求項１に記載のディスプレイ装置は、複数の走査線と前記走査線各々の交差して配列された複数のデータ線との各交差部に一画素を担う発光素子が形成されてなるディスプレイパネルと、前記ディスプレイパネルを発光させる発光駆動部と、を有するディスプレイ装置であって、前記発光駆動部は、各々が前記発光素子を発光させる発光駆動電流を前記データ線に供給する複数の発光駆動電流源を有する複数のデータ線駆動回路と、前記複数のデータ線駆動回路のうちの一つのデータ線駆動回路から発生した発光駆動電流と他のデータ線駆動回路から発生した発光駆動電流とに基づいて、前記他の発光駆動電流の調整を行う発光駆動電流調整部と、を有することを特徴とする。
【００１１】
請求項２に記載のディスプレイ装置は、複数の走査線と前記走査線各々の交差して配列された複数のデータ線との各交差部に一画素を担う発光素子が形成されてなるディスプレイパネルと、前記ディスプレイパネルを発光させる発光駆動部と、を有するディスプレイ装置であって、前記発光駆動部は、各々が前記発光素子を発光させる発光駆動電流を前記データ線に供給する複数の発光駆動電流源を有する複数のデータ線駆動回路と、前記複数のデータ線駆動回路のうちの前段のデータ線駆動回路から発生した発光駆動電流と次段のデータ線駆動回路から発生した発光駆動電流とに基づいて、前記次段の発光駆動電流の調整を順次行う発光駆動電流調整部と、を有することを特徴とする。
【００１２】
請求項９に記載のディスプレイパネルの駆動方法は、複数の走査線と前記走査線各々の交差して配列された複数のデータ線との各交差部に一画素を担う発光素子が形成されてなるディスプレイパネルを発光させる発光駆動部を用いたディスプレイパネルの駆動方法であって、前記発光駆動部は、各々が前記発光素子を発光させる発光駆動電流を前記データ線に供給する複数の発光駆動電流源を有する複数のデータ線駆動回路を含み、前記複数のデータ線駆動回路のうちの一つのデータ線駆動回路から発生した発光駆動電流と他のデータ線駆動回路から発生した発光駆動電流とに基づいて、前記他の発光駆動電流の調整を行うことを特徴とする。
【００１３】
請求項１０に記載のディスプレイパネルの駆動方法は、複数の走査線と前記走査線各々の交差して配列された複数のデータ線との各交差部に一画素を担う発光素子が形成されてなるディスプレイパネルを発光させる発光駆動部を用いたディスプレイパネルの駆動方法であって、前記発光駆動部は、各々が前記発光素子を発光させる発光駆動電流を前記データ線に供給する複数の発光駆動電流源を有する複数のデータ線駆動回路を含み、前記複数のデータ線駆動回路のうちの前段のデータ線駆動回路から発生した発光駆動電流と次段のデータ線駆動回路から発生した発光駆動電流とに基づいて、前記次段の発光駆動電流の調整を順次行うことを特徴とする。
【００１４】
【発明の実施の形態】
以下、本発明に係る実施の形態を図面に基づいて詳細に説明する。
図５は、本発明に係る実施の形態のディスプレイ装置１の概略構成を示す図である。図５に示すように、ディスプレイ装置１は、有機ＥＬディスプレイパネル１０と、発光制御回路１１と、走査回路１２と、発光駆動部２０とで構成される。各部の詳細を次に説明する。
【００１５】
有機ＥＬディスプレイパネル１０は、図５に示すように、第１表示ライン〜第ｎ表示ライン各々を担う走査線Ｂ１〜Ｂｎと、これら走査線Ｂ１〜Ｂｎ各々に交差して配列された２ｍ個のデータ線（データ線）Ａ１〜Ａ２ｍが形成されている。そして、走査線Ｂ１〜Ｂｎおよびデータ線Ａ１〜Ａ２ｍ各々の交差部に、有機ＥＬ素子（発光素子）Ｅ１，１〜Ｅｎ，２ｍが形成されている。これら、有機ＥＬ素子Ｅ１，１〜Ｅｎ，２ｍ各々は、有機ＥＬディスプレイパネル１０としての１画素を担うものである。
【００１６】
発光制御回路１１は、図６のタイミング図に示すように、有機ＥＬディスプレイパネル１０の第１表示ライン〜第ｎ表示ライン各々を順次走査すべき走査線選択制御信号Ｆを走査回路１２に供給する。そして、走査回路１２によって、走査線選択制御信号Ｆで示される表示ラインに対応した走査線を有機ＥＬディスプレイパネル１０の走査線Ｂ１〜Ｂｎの内から択一的に選択してこれをアース電位に接地すると共に、その他の走査線各々に所定の高電位をそれぞれ印加する。
【００１７】
また、発光制御回路１１は、入力された１画面分（ｎ行、２ｍ列）の画像データを有機ＥＬディスプレイパネル１０の各画素、すなわち有機ＥＬ素子Ｅ１，１〜Ｅｎ，２ｍ各々に対応した画素データＤ１，１〜Ｄｎ，２ｍに変換し、これを第１列〜第ｍ列に属するものと、第ｍ＋１列〜第２ｍ列に属するものとに分割する。
【００１８】
このとき、第１列〜第ｍ列に属する画素データを１表示ライン毎にグループ化した画素データＤ１，１〜Ｄ１，ｍ、Ｄ２，１〜Ｄ２，ｍ、Ｄ３，１〜Ｄ３，ｍ、・・・・、およびＤｎ，１〜Ｄｎ，ｍ各々を、図６に示す第１駆動データ群ＧＡ１−ｍとする。また、第ｍ＋１列〜第２ｍ列に属する画素データを１表示ライン毎にグループ化した画素データＤ１，ｍ＋１〜Ｄ１，２ｍ、Ｄ２，ｍ＋１〜Ｄ２，２ｍ、Ｄ３，ｍ＋１〜Ｄ３，２ｍ、・・・・、およびＤｎ，ｍ＋１〜Ｄｎ，２ｍ各々を、図６に示される第２駆動データ群ＧＢ１−ｍとする。
そして、第１駆動データ群ＧＡ１−ｍおよび第２駆動データ群ＧＢ１−ｍは、走査線選択制御信号Ｆに同期して順次、発光駆動部２０に供給される。
【００１９】
発光駆動部２０は、発光駆動電流をデータ線Ａ１〜Ａ２ｍに供給する複数の発光駆動電流源を有する複数のデータ線駆動回路を備えており、ここでは、複数のデータ線駆動回路のうちの１つのデータ線駆動回路を第１のデータ線駆動回路１３とし、他のデータ線駆動回路を第２のデータ線駆動回路１４とする。
【００２０】
第１駆動データ群ＧＡ１−ｍは、第１のデータ線駆動回路１３へ供給され、第１のデータ線駆動回路１３の出力端Ｘ１〜Ｘｍから出力された第１の発光駆動電流ｉ１をデータ線Ａ１〜Ａｍへ供給する。また、第２駆動データ群ＧＢ１−ｍは、第２のデータ線駆動回路１４へ供給され、第２のデータ線駆動回路１４の出力端Ｘ１〜Ｘｍから出力された第２の発光駆動電流ｉ２をデータ線Ａｍ＋１〜Ａ２ｍへ供給する。
【００２１】
さらに、発光駆動部２０は、第１のデータ線駆動回路１３の定電流出力端Ｘｍ＋１から出力した第１の発光駆動電流ｉ１と第２のデータ線駆動回路１４の定電流出力端Ｘｍ＋１から発生した第２の発光駆動電流ｉ２との比較に基づいて第２の発光駆動電流ｉ２の調整を行う発光駆動電流調整部１５を有している。
【００２２】
そして、複数のデータ線駆動回路として、３つ以上のデータ線駆動回路を備えた場合には、第１のデータ線駆動回路１３を基準として、さらに第３以降の各データ線駆動回路と第１のデータ線駆動回路１３との間に発光駆動電流調整部１５をそれぞれ設けることができる。
あるいは、第２のデータ線駆動回路１４と第３のデータ線駆動回路の間、さらに、第３のデータ線駆動回路と第４のデータ線駆動回路の間、と云うように、複数のデータ線駆動回路のうちの前段のデータ線駆動回路から発生した発光駆動電流と次段のデータ線駆動回路から発生した発光駆動電流とに基づいて、次段の発光駆動電流の調整を順次行う発光駆動電流調整部１５をそれぞれ設けてもよい。
【００２３】
なお、第１駆動データ群ＧＡ１−ｍは、有機ＥＬディスプレイパネル１０の各表示ラインの第１列〜第ｍ列各々に属するｍ個の有機ＥＬ素子の各々に対して、発光を実施させるか否かを指定するｍ個のデータビットである。また、第２駆動データ群ＧＢ１−ｍは、有機ＥＬディスプレイパネル１０の各表示ラインの第ｍ＋１列〜第２ｍ列各々に属するｍ個の有機ＥＬ素子の各々に対して、発光を実施させるか否かと発光輝度を指定するｍ個のデータビットである。
【００２４】
次に、以下、本実施の形態に係る発光駆動部の実施例１、２について述べる。（実施例１）
図７は、発光駆動部の内部構成の実施例１を示す回路構成図である。
図７において、発光駆動部２０ａは、第１のデータ線駆動回路１３ａおよび第２のデータ線駆動回路１４ａはそれぞれ、基準電流制御部１６と、スイッチＳ１〜Ｓｎと、発光駆動電流源としてのトランジスタＱ１〜Ｑｍ＋１と、抵抗Ｒ１〜Ｒｍ＋１とから構成される。
【００２５】
また、発光駆動電流調整部１５は、２つのデータ線駆動回路（第１のデータ線駆動回路１３ａ、第２のデータ線駆動回路１４ａ）から発生した第１の発光駆動電流ｉ１と第２の発光駆動電流ｉ２との差分を検出する差分検出回路ＯＰ２と、抵抗Ｒａ，Ｒｂ，Ｒｃ，Ｒｄ，Ｒｅ，Ｒｆとから構成される。上記基準電流制御部１６は、抵抗Ｒｓと、トランジスタＱｓ１，Ｑｓ２と、差動演算回路ＯＰ１とから構成される。
【００２６】
以下、第１のデータ線駆動回路１３ａおよび第２のデータ線駆動回路１４ａの共通の構成について詳述する。
基準電流制御部１６におけるトランジスタＱｓ１のエミッタには抵抗Ｒｓを介して所定電圧ＶＨが接続されており、トランジスタＱｓ１のベースおよびコレクタにはトランジスタＱｓ２のコレクタが接続されている。
【００２７】
差動演算回路ＯＰ１の正極側入力端子には基準電位Ｖｒｅｆが接続され、負極側入力端子にはトランジスタＱｓ１のエミッタ電位が入力されており、そして、出力端子は、トランジスタＱｓ１のベースに接続されている。
【００２８】
トランジスタＱ１〜Ｑｍ＋１各々のエミッタには、抵抗Ｒ１〜Ｒｍ＋１各々を介して画素駆動電位ＶＨが印加されており、さらに、それぞれのベースにはトランジスタＱｓ１のベースが接続されている。
このとき、抵抗Ｒｓ、およびＲ１〜Ｒｍ＋１各々の抵抗値は同一であり、さらに、トランジスタＱ１〜Ｑｍ＋１、Ｑｓ１およびＱｓ２の各々は、互いに同一特性を有するものである。
【００２９】
よって、基準電流制御部１６と、トランジスタＱ１〜Ｑｍ＋１とは電流ミラー回路を構成することになり、トランジスタＱ１〜Ｑｍ＋１各々のエミッタ・コレクタ間には、基準電流Ｉｒｅｆと同一の電流値を有する発光駆動電流が流れ、スイッチＳ１〜Ｓｍを介して、出力端Ｘ１〜Ｘｍ＋１に接続されている。このスイッチＳ１〜Ｓｍは、第１駆動データ群ＧＡ１−ｍ（第１のデータ線駆動回路１３ａの場合）または第２駆動データ群ＧＢ１−ｍ（第１のデータ線駆動回路１４ａの場合）によりそれぞれ独立してオン／オフ制御される。
【００３０】
第１のデータ線駆動回路１３ａでは、トランジスタＱｓ１のエミッタが、可変抵抗ＲＴを介してアース電位に接地されている。これにより、トランジスタＱｓ１のコレクタ−エミッタ間に流れる基準電流Ｉｒｅｆは、可変抵抗ＲＴによってその電流値を制御することができ、基準となる第１の発光駆動電流ｉ１を発生させることができる。
【００３１】
そして、第１のデータ線駆動回路１３ａの出力端Ｘ１〜Ｘｍは、図５に示す有機ＥＬディスプレイパネル１０のデータ線Ａ１〜Ａｍに接続される。また、その定電流出力端Ｘｍ＋１は抵抗Ｒｃに接続され、さらに抵抗Ｒｃは抵抗Ｒｄに接続され、抵抗Ｒｄの他端はアース電位に接地されている。また、抵抗Ｒｃと抵抗Ｒｄとの接続点は差分検出回路ＯＰ２の正極側入力端子に接続されている。ここで、抵抗Ｒｄの抵抗値と抵抗Ｒｂの抵抗値が等しくなるように設定する。
【００３２】
一方、第２のデータ線駆動回路１４ａの出力端Ｘ１〜Ｘｍは、図５に示す有機ＥＬディスプレイパネル１０のデータ線Ａｍ＋１〜Ａ２ｍに接続される。また、その定電流出力端Ｘｍ＋１は抵抗Ｒａに接続され、さらに抵抗Ｒａは抵抗Ｒｂに接続され、抵抗Ｒｂの他端はアース電位に接地されている。また、抵抗Ｒａと抵抗Ｒｂとの接続点は差分検出回路ＯＰ２の負極側入力端子に接続されている。ここで、抵抗Ｒａの抵抗値と抵抗Ｒｃの抵抗値が等しくなるように設定する。
【００３３】
そして、差分検出回路ＯＰ２の出力は抵抗Ｒｅを介して、トランジスタＱｓ２のエミッタに接続され、このトランジスタＱｓ２のエミッタはさらに、抵抗Ｒｆを介してアース電位に接地されている。ここで、抵抗Ｒｅの抵抗値は抵抗Ｒｆの抵抗値の１／１０〜１／２０程度に設定する。また、抵抗Ｒｆの抵抗値は可変抵抗ＲＴの最大の抵抗値と同じ値もしくはそれ以上の値に設定することが望ましい。
【００３４】
上述の第１のデータ線駆動回路１３ａおよび第２のデータ線駆動回路１４ａは、回路構成が同じであり、それぞれ同じ型のＩＣ（集積回路）で構成してもよい。また、発光駆動電流調整部１５を（少なくとも差分検出回路ＯＰ２を）上記ＩＣの外部に設けるようにしてもよい。
【００３５】
以上に述べた実施例１の発光駆動部２０ａによれば、第２のデータ線駆動回路１４ａにおけるトランジスタＱｓ１のコレクタ−エミッタ間に流れる基準電流Ｉｒｅｆは、第１のデータ線駆動回路１３ａの基準電流Ｉｒｅｆの電流値と一致するように、第１のデータ線駆動回路１３ａと第２のデータ線駆動回路１４ａの定電流出力端Ｘｍ＋１を比較することで、発光駆動電流調整部１５によって自動的に調整される。そして、第１のデータ線駆動回路１３ａの第１の発光駆動電流ｉ１と第２のデータ線駆動回路１４ａの第２の発光駆動電流ｉ２が同じ電流値となり、有機ＥＬ素子Ｅ１，１〜Ｅｎ，２ｍの輝度が揃うことになる。
【００３６】
これにより、それぞれのデータ線駆動回路によって輝度調整を行う必要がなくなり、特に、第１のデータ線駆動回路１３ａおよび第２のデータ線駆動回路１４ａをそれぞれＩＣ等を用いて構成した場合は、発光駆動電流調整部１５（またはその一部）を各ＩＣの外部に設けることにより、ＩＣ製造プロセスのバラツキが生じても第１のデータ線駆動回路１３ａおよび第２のデータ線駆動回路１４ａの基準電流Ｉｒｅｆを通じてデータ線の出力端Ｘ１〜Ｘｍの電流を一致させることができ、有機ＥＬディスプレイパネル１０の画面上に輝度の異なる領域が出来ないようにすることができる。
【００３７】
なお、ＩＣチップ内部の回路素子の配置として、第１のデータ線駆動回路１３ａが駆動するデータ線Ａｍを駆動する回路素子である発光駆動電流源Ｑｍ，抵抗Ｒｍと隣接する位置に、定電流出力端Ｘｍ＋１に電流を供給する回路素子である発光駆動電流源Ｑｍ＋１，抵抗Ｒｍ＋１を配置し、かつ、第２のデータ線駆動回路１４ａが駆動するデータ線Ａｍ＋１を駆動する回路素子である発光駆動電流源Ｑ１，抵抗Ｒ１に隣接する位置に、定電流出力端Ｘｍ＋１に電流を供給する回路素子である発光駆動電流源Ｑｍ＋１，抵抗Ｒｍ＋１を配置することが好ましい。
上述のような回路素子の配置によって、定電流出力端Ｘｍ＋１から出力される発光駆動電流ｉ１，ｉ２の電流値は、それぞれデータ線Ａｍに供給される電流値およびデータ線Ａｍ＋１に供給される電流値と極めて近い値となり、これらの発光駆動電流ｉ１，ｉ２を基に基準電流Ｉｒｅｆの電流値が調整されるので、調整されたデータ線Ａｍおよびデータ線Ａｍ＋１に供給される電流値は、特に正確に合うように調整される。
ところで、データ線Ａｍに接続された発光素子Ｅ１，ｍ〜Ｅｎ，ｍの列とデータ線Ａｍ＋１に接続された発光素子Ｅ１，ｍ＋１〜Ｅｎ，ｍ＋１の列は有機ＥＬディスプレイパネル１０の画面上で隣接しているので、これらの発光素子列の輝度が僅かでも異なると、明暗のラインとなって表示されてしまい見苦しくなる虞がある。
上述のように、データ線Ａｍおよびデータ線Ａｍ＋１に供給される電流値が特に正確に合うように調整されることにより、これら隣接する発光素子列の輝度をより正確に合わせることができ、明暗のラインができないようにすることができる。
【００３８】
（実施例２）
図８は、発光駆動部の内部構成の実施例２を示す回路構成図である。
図８において、第１のデータ線駆動回路１３ｂおよび第２のデータ線駆動回路１４ｂはそれぞれ、基準電流制御部１６と、スイッチＳ１〜Ｓｎ、Ｓｐと、発光駆動電流源としてのトランジスタＱ１〜Ｑｍと、抵抗Ｒ１〜Ｒｍとから構成される。
【００３９】
また、発光駆動電流調整部１５は、２つの駆動回路（第１のデータ線駆動回路１３ｂ、第２のデータ線駆動回路１４ｂ）から発生した第１の発光駆動電流ｉ１と第２の発光駆動電流ｉ２との差分を検出する差分検出回路ＯＰ２と、抵抗Ｒａ，Ｒｂ，Ｒｃ，Ｒｄ，Ｒｅ，Ｒｆとから構成される。上記基準電流制御部１６は、抵抗Ｒｓと、トランジスタＱｓ１，Ｑｓ２と、差動演算回路ＯＰ１とから構成される。
【００４０】
以下、第１のデータ線駆動回路１３ｂおよび第２のデータ線駆動回路１４ｂの共通の構成について詳述する。
基準電流制御部１６におけるトランジスタＱｓ１のエミッタには抵抗Ｒｓを介して所定電圧ＶＨが接続されており、トランジスタＱｓ１のベースおよびコレクタにはトランジスタＱｓ２のコレクタが接続されている。
【００４１】
差動演算回路ＯＰ１の正極側入力端子には基準電位Ｖｒｅｆが接続され、負極側入力端子にはトランジスタＱｓ１のエミッタ電位が入力されており、そして、出力端子は、トランジスタＱｓ１のベースに接続されている。
【００４２】
トランジスタＱ１〜Ｑｍ各々のエミッタには、抵抗Ｒ１〜Ｒｍ各々を介して画素駆動電位ＶＨが印加されており、さらに、それぞれのベースにはトランジスタＱｓ１のベースが接続されている。
このとき、抵抗Ｒｓ、およびＲ１〜Ｒｍ各々の抵抗値は同一であり、さらに、トランジスタＱ１〜Ｑｍ、Ｑｓ１およびＱｓ２の各々は、互いに同一特性を有するものである。
【００４３】
よって、基準電流制御部１６と、トランジスタＱ１〜Ｑｍとは電流ミラー回路を構成することになり、トランジスタＱ１〜Ｑｍ各々のエミッタ・コレクタ間には、基準電流Ｉｒｅｆと同一の電流値を有する発光駆動電流が流れ、スイッチＳ１〜Ｓｍを介して、出力端Ｘ１〜Ｘｍ＋１に接続されている。このスイッチＳ１〜Ｓｍは、第１駆動データ群ＧＡ１−ｍ（第１のデータ線駆動回路１３ｂの場合）または第２駆動データ群ＧＢ１−ｍ（第１のデータ線駆動回路１４ｂの場合）によりそれぞれ独立してオン／オフ制御される。
【００４４】
さらに、Ｑｍのコレクタは、スイッチＳｐ（選択手段）を介して定電流出力端Ｘｍ＋１に接続されている。このスイッチＳｐをオンの状態にすると、定電流出力端Ｘｍ＋１を通して発光駆動電流調整部１５に、発光駆動電流が供給される。そして、スイッチＳｍがオンの状態である場合は、スイッチＳｐをオフの状態にしておく必要がある。すなわち、発光駆動電流調整部１５による発光駆動電流の調整は、スイッチＳｍがオフの状態にあるときに、スイッチＳｐをオンの状態にするように、図示しないマイクロコンピュータ等の制御手段を用いてオン／オフ制御することが好ましい。
【００４５】
第１のデータ線駆動回路１３ｂでは、トランジスタＱｓ１のエミッタが、可変抵抗ＲＴを介してアース電位に接地されている。これにより、トランジスタＱｓ１のコレクタ−エミッタ間に流れる基準電流Ｉｒｅｆは、可変抵抗ＲＴによってその電流値を制御することができ、基準となる第１の発光駆動電流ｉ１を発生させることができる。
【００４６】
そして、第１のデータ線駆動回路１３ｂの出力端Ｘ１〜Ｘｍは、図５に示す有機ＥＬディスプレイパネル１０のデータ線Ａ１〜Ａｍに接続される。また、その定電流出力端Ｘｍ＋１は抵抗Ｒｃに接続され、さらに抵抗Ｒｃは抵抗Ｒｄに接続され、抵抗Ｒｄの他端はアース電位に接地されている。また、抵抗Ｒｃと抵抗Ｒｄとの接続点は差分検出回路ＯＰ２の正極側入力端子に接続されている。ここで、抵抗Ｒｄの抵抗値と抵抗Ｒｂの抵抗値が等しくなるように設定する。
【００４７】
一方、第２のデータ線駆動回路１４ｂの出力端Ｘ１〜Ｘｍは、図５に示す有機ＥＬディスプレイパネル１０のデータ線Ａｍ＋１〜Ａ２ｍに接続される。また、その定電流出力端Ｘｍ＋１は抵抗Ｒａに接続され、さらに抵抗Ｒａは抵抗Ｒｂに接続され、抵抗Ｒｂの他端はアース電位に接地されている。また、抵抗Ｒａと抵抗Ｒｂとの接続点は差分検出回路ＯＰ２の負極側入力端子に接続されている。ここで、抵抗Ｒａの抵抗値と抵抗Ｒｃの抵抗値が等しくなるように設定する。
【００４８】
そして、差分検出回路ＯＰ２の出力は抵抗Ｒｅを介して、トランジスタＱｓ２のエミッタに接続され、このトランジスタＱｓ２のエミッタはさらに、抵抗Ｒｆを介してアース電位に接地されている。ここで、抵抗Ｒｅの抵抗値は抵抗Ｒｆの抵抗値の１／１０〜１／２０程度に設定する。また、抵抗Ｒｆの抵抗値は可変抵抗ＲＴの最大の抵抗値と同じ値もしくはそれ以上の値に設定することが望ましい。
【００４９】
上述の第１のデータ線駆動回路１３ｂおよび第２のデータ線駆動回路１４ｂは、回路構成が同じであり、それぞれ同じ型のＩＣ（集積回路）で構成してもよい。また、発光駆動電流調整部１５（少なくともその一部）を上記ＩＣの外部に設けるようにしてもよい。
【００５０】
以上に述べた実施例２の発光駆動部２０ｂによれば、第２のデータ線駆動回路１４ｂにおけるトランジスタＱｓ１のコレクタ−エミッタ間に流れる基準電流Ｉｒｅｆは、第１のデータ線駆動回路１３ｂの基準電流Ｉｒｅｆの電流値と一致するように、発光駆動電流調整部１５によって自動的に調整される。そして、第１のデータ線駆動回路１３ａの第１の発光駆動電流ｉ１と第２のデータ線駆動回路１４ａの第２の発光駆動電流ｉ２が同じ電流値となり、有機ＥＬ素子Ｅ１，１〜Ｅｎ，２ｍの輝度が揃うことになる。
【００５１】
これにより、それぞれのデータ線駆動回路によって輝度調整を行う必要がなくなり、特に、第１のデータ線駆動回路１３ｂおよび第２のデータ線駆動回路１４ｂをそれぞれＩＣ等を用いて構成した場合は、発光駆動電流調整部１５（少なくともその一部）を各ＩＣの外部に設けることにより、ＩＣ製造プロセスのバラツキが生じても第１のデータ線駆動回路１３ａおよび第２のデータ線駆動回路１４ａの基準電流Ｉｒｅｆを通じてデータ線の出力端Ｘ１〜Ｘｍの電流を一致させることができ、有機ＥＬディスプレイパネル１０の画面上に輝度の異なる領域が出来ないようにすることができる。
【００５２】
なお、第１のデータ線駆動回路１３ｂおよび第２のデータ線駆動回路１４ｂにおけるスイッチＳｐ（選択手段）は、トランジスタＱｍのコレクタに接続する代わりに、それぞれトランジスタＱ１〜Ｑｍ−１のうちいずれかのコレクタに接続するようにしてもよい。このとき例えば、第１のデータ線駆動回路１３ｂのトランジスタＱｍのコレクタにスイッチＳｐを接続し、かつ、第２のデータ線駆動回路１４ｂのトランジスタＱ１のコレクタにスイッチＳｐを接続するようにすれば、前述の実施例１と同様にして、データ線Ａｍおよびデータ線Ａｍ＋１に供給される電流値が特に正確に合うように調整されることにより、隣接する発光素子列の輝度をより正確に合わせることができ、明暗のラインができないようにすることができる。
【００５３】
なお、上述の実施例１および実施例２の発光駆動部２０ａ、２０ｂは、発光駆動電流をデータ線Ａ１〜Ａ２ｍに供給する複数の発光駆動電流源を有する複数のデータ線駆動回路として、２つのデータ線駆動回路（第１のデータ線駆動回路１３および第２のデータ線駆動回路１４）を備えた場合であるが、勿論３つ以上のデータ線駆動回路を備えてもよい。
【００５４】
以上詳述したように、本実施の形態のディスプレイ装置１は、複数の走査線Ｂ１〜Ｂｎと走査線Ｂ１〜Ｂｎ各々の交差して配列された複数のデータ線Ａ１〜Ａ２ｍとの各交差部に一画素を担う発光素子Ｅ１，１〜Ｅｎ，２ｍが形成されてなるディスプレイパネル１０と、ディスプレイパネル１０を発光させる発光駆動部２０と、を有している。
【００５５】
そして、発光駆動部２０は、各々が発光素子Ｅ１，１〜Ｅｎ，２ｍを発光させる発光駆動電流をデータ線Ａ１〜Ａ２ｍに供給する複数の発光駆動電流源を有する複数のデータ線駆動回路１３，１４と、複数のデータ線駆動回路１３，１４のうちの少なくとも第１のデータ線駆動回路１３から発生した第１の発光駆動電流ｉ１と第２のデータ線駆動回路１４から発生した第２の発光駆動電流ｉ２とに基づいて発光駆動電流の調整を行う発光駆動電流調整部１５（発光駆動電流調整部手段）と、を有している。
【００５６】
これによって、第２のデータ線駆動回路１４の基準電流Ｉｒｅｆと第１のデータ線駆動回路１３の基準電流Ｉｒｅｆの電流値が一致するように、第１のデータ線駆動回路１３と第２のデータ線駆動回路１４の定電流出力端Ｘｍ＋１を比較することで、発光駆動電流調整部１５によって自動的に調整されるので、複数のデータ線駆動回路を用いた場合、特に、データ線駆動回路として複数のＩＣを用いて構成する場合に、従来技術において生じている有機ＥＬディスプレイパネルの輝度調整に時間がかかっていたり、充分な調整精度を確保できない問題を解消することができる。
【図面の簡単な説明】
【図１】有機ＥＬ素子の模式的な断面構造を示す図である。
【図２】有機ＥＬ素子の模式的な等価回路を示す図である。
【図３】従来の有機ＥＬディスプレイパネルの駆動装置を示す図である。
【図４】データ線駆動回路として複数のＩＣを用いて構成した従来の有機ＥＬディスプレイパネルの駆動装置を示す図である。
【図５】本発明に係る実施の形態のディスプレイ装置の概略構成を示す図である。
【図６】発光制御回路が供給する画素データと走査線選択信号のタイミング図である。
【図７】本発明に係る実施例１の発光駆動部の内部構成を示す回路構成図である。
【図８】本発明に係る実施例２の発光駆動部の内部構成を示す回路構成図である。
【符号の説明】
１    ディスプレイ装置
１０  有機ＥＬディスプレイパネル
１３，１３ａ，１３ｂ  第１のデータ線駆動回路
１４，１４ａ，１４ｂ  第２のデータ線駆動回路
１５  発光駆動電流調整部
１６  基準電流制御部
２０，２０ａ，２０ｂ  発光駆動部
Ａ１〜Ａ２ｍ  データ線
Ｅ１，１〜Ｅｎ，２ｍ  発光素子
ＯＰ２  差分検出回路（差分検出手段）
Ｑ１〜Ｑｍ  トランジスタ（発光駆動電流源）
Ｓｐ    スイッチ（選択手段）
Ｘ１〜Ｘｍ＋１    出力端
【図１】
2004302273.tif 000003
【図２】
2004302273.tif 000004
【図３】
2004302273.tif 000005
【図４】
2004302273.tif 000006
【図５】
2004302273.tif 000007
【図６】
2004302273.tif 000008
【図７】
2004302273.tif 000009
【図８】
2004302273.tif 000010